(57)【要約】【課題】被称賛者に有能感を育ませることで、被称賛者が自主的に対象行動に取り組み易くなるように誘引することができる称賛者支援システム及び称賛者支援方法を提供する。【解決手段】称賛者支援システム１は、称賛者が被称賛者を称賛するための、予め規定している行動に対応付けられた１以上の称賛内容を含む称賛情報を記憶する記憶部１２４と、被称賛者の行動を示す行動情報を取得する行動取得部１２１と、行動情報が示す行動を特定する分析部１２２と、称賛者の音声が入力される音声入力部１２３と、称賛情報に含まれる１以上の称賛内容から、分析部１２２で特定された被称賛者の行動に応じた称賛内容を選択する処理部１２５とを備える。処理部１２５は、称賛者の音声による称賛が選択した称賛内容を満たしているかどうかを判定し、称賛者の音声による称賛が選択した称賛内容を満たしていない場合、称賛者の音声による称賛が不十分であることを出力する。【選択図】図３
2020118930.tif 000002
【特許請求の範囲】
【請求項１】
称賛者が被称賛者を称賛するための、予め規定している行動に対応付けられた１以上の称賛内容を含む称賛情報を記憶する記憶部と、
前記被称賛者の行動を示す行動情報を取得する行動取得部と、
前記行動情報が示す行動を特定する分析部と、
前記称賛者の音声が入力される音声入力部と、
前記称賛情報に含まれる１以上の称賛内容から、前記分析部で特定された前記被称賛者の行動に応じた称賛内容を選択する処理部とを備え、
前記処理部は、さらに、前記称賛者の音声による称賛が選択した当該称賛内容を満たしているかどうかを判定し、前記称賛者の音声による称賛が選択した当該称賛内容を満たしていない場合、前記称賛者の音声による称賛が不十分であることを出力する
称賛者支援システム。
【請求項２】
前記称賛者の音声による称賛が選択した当該称賛内容を満たしていない場合、前記処理部は、満たしていない部分を含む称賛内容を出力する
請求項１に記載の称賛者支援システム。
【請求項３】
前記処理部は、
前記称賛者の音声による称賛と選択した当該称賛内容とを比較し、
前記称賛者の音声による称賛に示される言葉の文字数が、選択した当該称賛内容に示される言葉の文字数よりも少ない場合、前記称賛者の音声による称賛が選択した当該称賛内容を満たしていないと判定する
請求項１又は２に記載の称賛者支援システム。
【請求項４】
前記称賛者の音声による称賛に示される韻律が規定範囲外である場合、前記処理部は、前記称賛者の音声による称賛が選択した当該称賛内容を満たしていないと判定する
請求項１〜３のいずれか１項に記載の称賛者支援システム。
【請求項５】
前記分析部は、前記行動情報に基づいて分析された前記被称賛者の行動を履歴情報として前記記憶部に記憶させ、
前記処理部は、前記履歴情報に応じて前記被称賛者の行動に応じた称賛内容を選択する
請求項１〜４のいずれか１項に記載の称賛者支援システム。
【請求項６】
さらに、前記処理部が出力した、満たしていない部分を含む称賛内容を表示する表示部を備える
請求項１〜５のいずれか１項に記載の称賛者支援システム。
【請求項７】
称賛者が被称賛者を称賛するための、予め規定している行動に対応付けられた１以上の称賛内容を含む称賛情報を記憶することと、
前記被称賛者の行動を示す行動情報を取得することと、
前記行動情報が示す行動を特定することと、
前記称賛者の音声が入力されることと、
前記称賛情報に含まれる１以上の称賛内容から、特定された前記被称賛者の行動に応じた称賛内容を選択することと、
前記称賛者の音声による称賛が選択した当該称賛内容を満たしているかどうかを判定し、前記称賛者の音声による称賛が選択した当該称賛内容を満たしていない場合、前記称賛者の音声による称賛が不十分であることを出力することとを含む
称賛者支援方法。
【発明の詳細な説明】
【技術分野】
【０００１】
本開示は、称賛者支援システム及び称賛者支援方法に関する。
【背景技術】
【０００２】
従来の称賛者支援システムとして特許文献１には、コンピューターにトイレトレーニングに関する行動項目を達成したか否かの入力を受け付ける入力受付処理部と、行動項目毎に達成した回数を表示させるための集計表示を表示部に表示させる集計表示処理部と、達成した回数が所定回数に達した場合に、コンピューターシステムの操作者に、褒めるためのメッセージを表示部に表示させるメッセージ表示処理部とを有するトイレトレーニング用コンピューターシステムが開示されている。
【先行技術文献】
【特許文献】
【０００３】
【特許文献１】特開２０１８−１６３２４４号公報
【発明の概要】
【発明が解決しようとする課題】
【０００４】
例えば称賛すべき対象者が幼児の場合、発達心理学の観点では母親からの称賛が最も有効であると言われているが、母親が褒めるべきポイントを適切に把握できていないケースが多い。上記従来例では、褒めるためのメッセージを表示部に表示したとしても、母親が幼児を褒めるべきポイントを押さえて褒めているかどうかは確認することができないため、母親が幼児に効果的な称賛をしていない可能性がある。
【０００５】
本開示は、このような課題を解決するためになされたものであり、被称賛者に有能感を育ませることで、被称賛者が自主的に対象行動に取り組み易くなるように誘引することができる称賛者支援システム及び称賛者支援方法を提供することを目的とする。
【課題を解決するための手段】
【０００６】
上記目的を達成するために、本開示に係る称賛者支援システムの一態様は、称賛者が被称賛者を称賛するための、予め規定している行動に対応付けられた１以上の称賛内容を含む称賛情報を記憶する記憶部と、前記被称賛者の行動を示す行動情報を取得する行動取得部と、前記行動情報が示す行動を特定する分析部と、前記称賛者の音声が入力される音声入力部と、前記称賛情報に含まれる１以上の称賛内容から、前記分析部で特定された前記被称賛者の行動に応じた称賛内容を選択する処理部とを備え、前記処理部は、さらに、前記称賛者の音声による称賛が選択した当該称賛内容を満たしているかどうかを判定し、前記称賛者の音声による称賛が選択した当該称賛内容を満たしていない場合、前記称賛者の音声による称賛が不十分であることを出力する。
【０００７】
また、上記目的を達成するために、本開示に係る称賛者支援方法の一態様は、称賛者が被称賛者を称賛するための、予め規定している行動に対応付けられた１以上の称賛内容を含む称賛情報を記憶することと、前記被称賛者の行動を示す行動情報を取得することと、前記行動情報が示す行動を特定することと、前記称賛者の音声が入力されることと、前記称賛情報に含まれる１以上の称賛内容から、特定された前記被称賛者の行動に応じた称賛内容を選択することと、前記称賛者の音声による称賛が選択した当該称賛内容を満たしているかどうかを判定し、前記称賛者の音声による称賛が選択した当該称賛内容を満たしていない場合、前記称賛者の音声による称賛が不十分であることを出力することとを含む。
【発明の効果】
【０００８】
本開示に係る称賛者支援システム等によれば、被称賛者に有能感を育ませることで、被称賛者が自主的に対象行動に取り組み易くなるように誘引することができる。
【図面の簡単な説明】
【０００９】
【図１】図１は、実施の形態に係る称賛者支援システムを例示するブロック図である。
【図２】図２は、実施の形態に係る称賛者支援システムにおける称賛者が被称賛者を称賛した際の称賛者支援システムの表示態様を例示する模式図である。
【図３】図３は、実施の形態に係る称賛者支援システムの動作を例示するフロー図である。
【図４】図４は、実施の形態に係る称賛者支援システムの称賛者の音声情報が称賛内容を満たしているかどうかの動作を例示するフロー図である。
【発明を実施するための形態】
【００１０】
以下、本開示の実施の形態について、図面を参照しながら説明する。なお、以下に説明する実施の形態は、いずれも本開示の一具体例を示すものである。したがって、以下の実施の形態で示される、数値、形状、材料、構成要素、構成要素の配置位置及び接続形態、並びに、ステップ、ステップの順序等は、一例であって本開示を限定する主旨ではない。よって、以下の実施の形態における構成要素のうち、本開示の最上位概念を示す独立請求項に記載されていない構成要素については、任意の構成要素として説明される。
【００１１】
各図は、模式図であり、必ずしも厳密に図示されてはいない。したがって、例えば、各図において縮尺等は必ずしも一致しない。また、各図において、実質的に同一の構成に対しては同一の符号を付しており、重複する説明は省略又は簡略化する。
【００１２】
（実施の形態）
図１は、実施の形態に係る称賛者支援システム１を例示するブロック図である。
【００１３】
図１に示すように、称賛者支援システム１は、被称賛者が生活の中で行う対象行動の達成を自動で検知し、かつ、被称賛者が達成した対象行動を称賛者が音声により称賛したことを自動で検知することで、称賛者に対してより適切な称賛を行うように、称賛者を支援するシステムである。称賛者の称賛とは、称賛者が直接的に被称賛者を褒めることである。ここで対象行動とは、「歯磨き」、「お片付け」、「おトイレ」等といった、被称賛者が生活の中で行う行動であり、礼儀及び作法に準ずる行動である。例えば「お片付け」は、被称賛者が遊具での遊び等の行動を終えた後に行う、遊具を片付ける作法である。このため、対象行動には、被称賛者が行う「遊び」を含まない。例えば、被称賛者は幼児等であり、称賛者はその幼児の母父、祖父母等である。
【００１４】
称賛者支援システム１は、例えば、称賛者を支援するための専用のタブレット端末、スマートフォン等である。
【００１５】
称賛者支援システム１は、行動取得部１２１と、分析部１２２と、音声入力部１２３と、記憶部１２４と、処理部１２５と、表示部１２６と、通信部１２７とを有する。
【００１６】
行動取得部１２１は、被称賛者の行動を示す行動情報を取得する装置である。つまり、行動取得部１２１は、被称賛者の行動を検知するカメラ、人感センサ等であり、被称賛者の行動を常時検知し、検知した被称賛者の行動を示す行動情報を分析部１２２に出力する。行動取得部１２１は、画像情報、音声情報等によって被称賛者の行動を検知する。
【００１７】
本実施の形態では、行動取得部１２１は、称賛者支援システム１に内蔵されているが、壁、天井等の造営材に設置された装置であってもよい。この場合、行動取得部１２１は、検知した被称賛者の行動情報を、図示しない有線通信モジュール又は無線通信モジュールを介して称賛者支援システム１に送信してもよい。このため、称賛者支援システム１に行動取得部１２１が内蔵されていることが必須の構成ではない。
【００１８】
分析部１２２は、行動情報が示す被称賛者の行動を特定する装置である。つまり、分析部１２２は、行動情報に含まれる画像情報、音声情報等から、例えば被称賛者が遊びを終えた後の遊具の片付けという対象行動を特定する。分析部１２２は、特定した被称賛者の行動を示す分析結果を処理部１２５に出力する。
【００１９】
また、分析部１２２は、特定された被称賛者の行動情報を記憶部１２４に記憶させる。分析部１２２は、記憶部１２４に記憶された被称賛者の履歴情報に基づいて、被称賛者の行動を分析することに用いてもよい。
【００２０】
音声入力部１２３は、称賛者の音声が入力されるマイクである。称賛者の音声は、称賛者が被称賛者を称賛した際に音声入力部１２３に入力される音声である。具体的には、音声入力部１２３は、称賛者の音声である音声信号を音声情報（テキスト情報）に変換し、音声情報を処理部１２５に出力する。本実施の形態では、音声入力部１２３には、称賛者の音声による称賛（以下、称賛者の称賛と言う場合がある）を処理部１２５に出力する。
【００２１】
記憶部１２４は、称賛者が被称賛者を称賛するための、予め規定している行動に対応付けられた１以上の称賛内容を含む称賛情報を記憶する。
【００２２】
予め規定している行動とは、「歯磨き」、「お片付け」、「おトイレ」等といった、被称賛者が生活の中で行う行動であり、例えば礼儀及び作法である。このため、例えば、「歯磨き」には最適な称賛内容が紐付けられ、「お片付け」には最適な称賛内容が紐付けられる。
【００２３】
ここで称賛内容は、被称賛者が対象行動を行った際に、称賛者が被称賛者に対して正しく褒めるための称賛すべき内容であり、例えばテキスト情報で構成される。例えば、被称賛者が片付けをした場合、称賛内容は、「被称賛者が片付けできた」である。また、称賛内容には、このようなテキスト情報の他に、被称賛者の称賛に込められた感情に示される韻律を含む。
【００２４】
ここで称賛情報は、被称賛者が対象行動を行った際に、称賛者が被称賛者に対して正しく褒めるための１以上の称賛内容の集合である。このため、被称賛者の１つの対象行動には、１以上の称賛内容が紐付けられる。なお、被称賛者の対象行動は複数存在するため、称賛情報には複数の称賛内容が紐付けられる。
【００２５】
また、記憶部１２４は、行動情報に基づいて分析された被称賛者の行動を履歴情報として記憶する。つまり、記憶部１２４には、被称賛者の過去の履歴が記憶される。
【００２６】
処理部１２５は、称賛情報に含まれる１以上の称賛内容から、分析部１２２で特定された被称賛者の行動に応じた称賛内容を選択する。つまり、処理部１２５は、例えば被称賛者が遊びを終えて遊具の片付けという被称賛者の対象行動に適した正しい称賛内容を、記憶部１２４から読み出す。処理部１２５は、被称賛者の対象行動に適した正しい称賛内容を記憶部１２４から読み出すことで、称賛者の称賛が選択した正しい称賛内容（以下、選択した称賛内容という場合がある）を満たしているかどうかを判定する。称賛者の称賛が選択した称賛内容を満たしていない場合、処理部１２５は、称賛者の称賛が不十分であることを表示部１２６に出力する。称賛者の称賛が不十分であることは、称賛者の称賛に含まれていない称賛内容が存在する、つまり被称賛者を褒めたりていないことを意味する。
【００２７】
称賛者の称賛が不十分であるかどうかの判定について、処理部１２５は、称賛者の称賛と選択した称賛内容とを比較し、称賛者の称賛に示される言葉の文字数が選択した称賛内容に示される言葉の文字数よりも少ないかどうかによって判定する。称賛者の称賛に示される言葉の文字数が、選択した称賛内容に示される言葉の文字数よりも少ない場合、処理部１２５は、称賛者の称賛が選択した称賛内容を満たしていないと判定する。
【００２８】
図２を用いて具体的に説明する。図２は、実施の形態に係る称賛者支援システム１における称賛者が被称賛者を称賛した際の称賛者支援システム１の表示態様を例示する模式図である。
【００２９】
図１及び図２では、例えば、被称賛者が遊具での遊びを終えた後に、被称賛者が遊具の片付けを行った。その際に、称賛者は、「○○ちゃん、片付けられたね！」と発言している。ここで、被称賛者が片付けを過去（例えば前日）よりも速く片付けることができた場合、称賛者は、「片付けた」というキーワードの他に、「早く」というキーワードを含む称賛を被称賛者に対してする必要がある。しかし、称賛者が「○○ちゃん、片付けられたね！」という言葉しか発言しておらず、「早く」というキーワードは、称賛者の称賛に含まれていない。つまり、称賛者の称賛に示される言葉の文字数が、処理部１２５が選択した称賛内容に示される言葉の文字数よりも少ない。このため、処理部１２５は、称賛者の称賛が選択した称賛内容を満たしていないと判定し、満たしていない部分（「早く」というキーワード）を含む称賛内容を表示部１２６に出力する。例えば、処理部１２５は、「○○ちゃん昨日より早く片付けを終えることができたよ！」という、称賛者に正しく称賛を促すようなコメントを、表示部１２６に表示させる。このように、称賛者がした称賛に対し、補完するように、選択した称賛を提示する。
【００３０】
なお、称賛者の称賛に示される言葉の文字数が、選択した称賛内容に示される言葉の文字数と同等以上であってもよい。具体的には、称賛者の称賛のキーワードと選択した称賛内容に示されるキーワード「片付けた」、「早く」と同等、又は、称賛者の称賛のキーワードが選択した称賛内容に示されるキーワード「片付けた」、「早く」以外の言葉を含んでいる場合である。なお、処理部１２５は、満たしていない部分である「早く」というキーワードを強調するように、表示部１２６に表示させてもよい。
【００３１】
なお、本実施の形態において、称賛者の称賛に示される言葉の全文字数と、称賛内容に示される言葉の全文字数とを比較してもよいが、処理部１２５は、さらに、称賛者の称賛に示されるキーワード「片付けた」の文字数と、処理部１２５が選択した称賛内容に示される言葉に示されるキーワード「片付けた」、及び、「早く」の文字数との比較をしてもよい。
【００３２】
また、図１に示すように、処理部１２５は、称賛者の称賛に示される韻律が規定範囲外であるかどうかを判定し、称賛者の音声に示される韻律が規定範囲外である場合、処理部１２５は、称賛者の音声が選択した称賛内容を満たしていないと判定する。ここで韻律とは、称賛者の音声の抑揚、リズム及びテンポ等である。また、規定範囲は、例えばラッセルの感情円環モデル等によって定められた範囲であり、この感情円環モデルにおける予め設定した範囲である。
【００３３】
称賛者の音声に示される韻律に称賛者の感情が込められていない場合、称賛者に感情を込めて被称賛者を褒めるように促すために、処理部１２５は、「もう少し感情を込めて発言して下さい。」等のコメントを表示部１２６に出力する。称賛者の音声に示される韻律が規定範囲内であれば、処理部１２５は、称賛者は感情を込めて被称賛者を褒めていると判定できる。
【００３４】
処理部１２５は、称賛者の音声から称賛者の感情を認識することができる音声感情解析機能を有する。つまり、称賛者支援システム１は、処理部１２５及び音声入力部１２３によって、ＡＩスピーカ、タブレットマイク等のような機能を有する。
【００３５】
また、処理部１２５は、履歴情報に応じて被称賛者の行動に応じた称賛内容を選択してもよい。つまり、処理部１２５は、分析部１２２で特定された被称賛者の行動において、履歴情報で選択された称賛内容を選択する。
【００３６】
表示部１２６は、処理部１２５が出力した、称賛者の称賛に含まれていない称賛内容を表示するモニタである。つまり、表示部１２６は、満たしていない称賛内容の部分を含む称賛内容を表示する。
【００３７】
［動作］
次に、称賛者支援システム１及び称賛者支援方法の動作について説明する。
【００３８】
図３は、実施の形態に係る称賛者支援システム１の動作を例示するフロー図である。
【００３９】
図３では、例えば、被称賛者が遊具での遊び等の行動を終えた後に、遊具の片付けを始めたときに行われる動作を想定する。称賛者支援システム１は、被称賛者が何らかの行動を開始した際に、動作を開始する。
【００４０】
まず、称賛者支援システム１は、被称賛者の行動を検知する（Ｓ１１）。具体的には、称賛者支援システム１の行動取得部１２１は、被称賛者の行動を検知し、検知した被称賛者の行動情報を分析部１２２に出力する。
【００４１】
次に、分析部１２２は、行動情報に基づいて被称賛者の行動を特定する（Ｓ１２）。つまり、分析部１２２は、行動情報に含まれる画像情報、音声情報等から、被称賛者が遊びを終えて遊具の片付けという対象行動を特定する。
【００４２】
次に、分析部１２２は、特定された被称賛者の行動情報を記憶部１２４に記憶させる（Ｓ１３）。つまり、記憶部１２４は、行動情報に基づいて分析された被称賛者の行動を履歴情報として記憶する。これにより、分析部１２２は、被称賛者の履歴情報に基づいて被称賛者の行動を分析することに用いることができる。分析部１２２は、特定した被称賛者の行動を示す分析結果を処理部１２５に出力する。
【００４３】
次に、処理部１２５は、記憶部１２４に記憶されている称賛情報に含まれる１以上の称賛内容から、分析部１２２で特定された被称賛者の行動に応じた称賛内容を選択する（Ｓ１４）。つまり、処理部１２５は、分析部１２２で特定された被称賛者の片付けという対象行動に適した称賛内容を、記憶部１２４から読み出す。
【００４４】
ここで、例えば、被称賛者が遊具の片付けを終了していれば、称賛者から音声による称賛がなされる。称賛者の音声は音声入力部１２３に入力され、音声入力部１２３は、その音声を音声情報に変換し、処理部１２５に出力する。
【００４５】
次に、処理部１２５は、被称賛者の行動を特定後（分析結果を取得後）、所定期間に称賛者の称賛が入力されたかどうかを判定する（Ｓ１５）。つまり、処理部１２５は、称賛者の称賛に基づく音声情報を音声入力部１２３から取得したかどうかを判定する。
【００４６】
所定期間に称賛者の音声が音声入力部１２３に入力されなければ（Ｓ１５でＮｏ）、被称賛者を称賛すべき選択した称賛内容を表示部１２６に出力する（Ｓ１８）。所定期間に称賛者の音声が音声入力部１２３に入力されなければ、称賛者が被称賛者を称賛していないことを示すため、処理部１２５は、称賛者が被称賛者を称賛するように促し、かつ、称賛者に選択した称賛内容を表示する。なお、所定期間に称賛者の音声が音声入力部１２３に入力されなければ、処理部１２５は、「被称賛者を称賛してあげて下さい！」等のコメントを表示部１２６に表示させてもよい。そして、称賛者支援システム１は、処理を終了する。
【００４７】
所定期間に称賛者の音声が音声入力部１２３に入力されれば（Ｓ１５でＹｅｓ）、処理部１２５は、称賛者の音声情報が選択した称賛内容を満たしているかどうかを判定する（Ｓ１６）。具体的には、処理部１２５は、称賛者の称賛が被称賛者を正しく称賛しているかどうかを判定する。
【００４８】
図２及び図３に示すように称賛者の称賛が選択した称賛内容を満たしていない場合（Ｓ１６でＮｏ）、処理部１２５は、称賛者の称賛が不十分であること、つまり、称賛者の称賛に含まれていない称賛内容を表示部１２６に出力する（Ｓ１７）。称賛者の称賛が選択した称賛内容を満たしていない場合とは、称賛者の称賛に示される言葉の文字数、称賛者の称賛に示される韻律等を満たさない場合である。
【００４９】
表示部１２６は、称賛者の称賛に含まれていない称賛内容である「早く」を含めた文章「○○ちゃん、昨日より早く片付けを終えることができたよ！」を表示する。そして、称賛者支援システム１は、処理を終了する。
【００５０】
一方、称賛者の称賛が選択した称賛内容を満たしている場合（Ｓ１６でＹｅｓ）、称賛者支援システム１は、処理を終了する。
【００５１】
図４は、実施の形態に係る称賛者支援システム１の称賛者の音声情報が選択した称賛内容を満たしているかどうかの動作を例示するフロー図である。
【００５２】
図４では、図３のステップＳ１６の詳細な動作について説明する。
【００５３】
ステップＳ１５でＹｅｓの場合、処理部１２５は、称賛者の称賛と選択した称賛内容とを比較して、称賛者の称賛に示される言葉の文字数が、選択した称賛内容に示される言葉の文字数よりも少ないかどうかを判定する（Ｓ２１）。
【００５４】
称賛者の称賛に示される言葉の文字数が、選択した称賛内容に示される言葉の文字数よりも少ない場合（Ｓ２１でＹｅｓ）、処理部１２５は称賛者の称賛が選択した称賛内容を満たしていないと判定し、処理はステップＳ１７へ進む。
【００５５】
ステップＳ２１でＹｅｓの場合は、例えば、称賛者の称賛の「○○ちゃん、片付けられたね！」の文字数が、選択した称賛内容に示される言葉である「○○ちゃん、昨日より早く片付けを終えることができたよ！」の文字数よりも少ない場合である。
【００５６】
なお、ステップＳ２１では、単にキーワードだけを比較してもよい。例えば、称賛者の称賛のキーワード「片付けた」の文字数が、選択した称賛内容に示されるキーワード「早く片付けた」よりも文字数が少ない場合も、ステップＳ２１でＹｅｓの場合となる。
【００５７】
また、称賛者の称賛に示される言葉の文字数が、選択した称賛内容に示される言葉の文字数と同等以上である場合は、少なくとも、称賛者の称賛の全文字又はキーワードと、選択した称賛内容に示される全文字又はキーワードとが同一、又は、称賛者の称賛の全文字又はキーワードが、選択した称賛内容に示される全文字又はキーワードを含んでいる場合である。
【００５８】
一方、称賛者の称賛に示される言葉の文字数が、選択した称賛内容に示される言葉の文字数よりも少なくない場合（Ｓ２１でＮｏ）、処理部１２５は、称賛者の称賛に示される韻律が規定範囲外であるかどうかを判定する（Ｓ２２）。
【００５９】
称賛者の称賛に示される韻律が規定範囲外である場合（Ｓ２２でＹｅｓ）、処理部１２５は称賛者の称賛が選択した称賛内容を満たしていないと判定し、処理はステップＳ１７へ進む。
【００６０】
一方、称賛者の称賛に示される韻律が規定範囲内である場合（Ｓ２２でＮｏ）、処理部１２５は称賛者の称賛が選択した称賛内容を満たしていると判定し、処理は終了する。
【００６１】
［作用効果］
次に、本実施の形態おける称賛者支援システム１及び称賛者支援方法の作用効果について説明する。
【００６２】
上述したように、本実施の形態に係る称賛者支援システム１は、称賛者が被称賛者を称賛するための、予め規定している行動に対応付けられた１以上の称賛内容を含む称賛情報を記憶する記憶部１２４と、被称賛者の行動を示す行動情報を取得する行動取得部１２１と、行動情報が示す行動を特定する分析部１２２と、称賛者の音声が入力される音声入力部１２３と、称賛情報に含まれる１以上の称賛内容から、分析部１２２で特定された被称賛者の行動に応じた称賛内容を選択する処理部１２５とを備える。そして、処理部１２５は、さらに、称賛者の音声による称賛が選択した称賛内容を満たしているかどうかを判定し、称賛者の音声による称賛が選択した称賛内容を満たしていない場合、称賛者の音声による称賛が不十分であることを出力する。
【００６３】
これによれば、称賛者が被称賛者を称賛することで、被称賛者に対して称賛の足りない部分が存在していても、処理部１２５は、称賛者の音声による称賛が不十分であることを出力する。このため、称賛者は、被称賛者に対して称賛が足りないことを認識することができる。このように、称賛者は、称賛が足りないことを認識するため、被称賛者を上手に称賛することができるようになる。
【００６４】
したがって、この称賛者支援システム１では、被称賛者に有能感を育ませることで、被称賛者が自主的に対象行動に取り組み易くなるように誘引することができる。
【００６５】
また、本実施の形態に係る称賛者支援方法は、称賛者が被称賛者を称賛するための、予め規定している行動に対応付けられた１以上の称賛内容を含む称賛情報を記憶することと、被称賛者の行動を示す行動情報を取得することと、行動情報が示す行動を特定することと、称賛者の音声が入力されることと、称賛情報に含まれる１以上の称賛内容から、特定された被称賛者の行動に応じた称賛内容を選択することと、称賛者の音声による称賛が選択した称賛内容を満たしているかどうかを判定し、称賛者の音声による称賛が選択した称賛内容を満たしていない場合、称賛者の音声による称賛が不十分であることを出力することとを含む。
【００６６】
この称賛者支援方法においても上述と同様の作用効果を奏する。
【００６７】
また、本実施の形態に係る称賛者支援システム１において、称賛者の音声による称賛が選択した称賛内容を満たしていない場合、処理部１２５は、満たしていない部分を含む称賛内容を出力する。
【００６８】
これによれば、称賛者が被称賛者を称賛し足りない部分を出力するため、例えば、称賛者は、称賛し足りない部分について補完的に被称賛者を称賛することができるため、被称賛者を上手に称賛することができるようになる。このため、被称賛者により有能感を育ませることができるため、被称賛者がより自主的に対象行動に取り組み易くなるように誘引することができる。
【００６９】
また、本実施の形態に係る称賛者支援システム１において、処理部１２５は、称賛者の音声による称賛と選択した称賛内容とを比較する。そして、処理部１２５は、称賛者の音声による称賛に示される言葉の文字数が、選択した称賛内容に示される言葉の文字数よりも少ない場合、称賛者の音声による称賛が選択した称賛内容を満たしていないと判定する。
【００７０】
これによれば、称賛者の音声に示される言葉の文字数が、選択した称賛内容に示される言葉の文字数よりも少ないかどうかによって、処理部１２５は、より精度よく、称賛者の音声による称賛が選択した称賛内容を満たしているかどうかを判定することができる。
【００７１】
また、本実施の形態に係る称賛者支援システム１において、称賛者の音声による称賛に示される韻律が規定範囲外である場合、処理部１２５は、称賛者の音声による称賛が選択した称賛内容を満たしていないと判定する。
【００７２】
これによれば、称賛者の音声に示される韻律が規定範囲外であるかどうかによって、処理部１２５は、より精度よく、称賛者の音声による称賛が選択した称賛内容を満たしているかどうかを判定することができる。このため、称賛者は、感情を込めて被称賛者を称賛するようになる。
【００７３】
また、本実施の形態に係る称賛者支援システム１において、分析部１２２は、行動情報に基づいて分析された被称賛者の行動を履歴情報として記憶部１２４に記憶させる。そして、処理部１２５は、履歴情報に応じて被称賛者の行動に応じた称賛内容を選択する。
【００７４】
これによれば、処理部１２５は、過去の履歴情報に対して現在の被称賛者の行動を比較することができる。このため、称賛者は、被称賛者の行動が過去の履歴情報に対してどれだけ成長しているかを確認することができる。
【００７５】
また、過去の履歴情報に基づいて被称賛者の行動を特定することもできるため、処理部１２５は、履歴情報に応じて被称賛者の行動に応じた称賛内容を簡易に選択することができる。このため、処理部１２５の処理負担を軽減することができる。
【００７６】
また、本実施の形態に係る称賛者支援システム１は、さらに、処理部１２５が出力した、満たしていない部分を含む称賛内容を表示する表示部１２６を備える。
【００７７】
これによれば、称賛者は、表示部１２６に表示される称賛者の音声による称賛に含まれていない称賛内容を確認することで、被称賛者に対して称賛し足りない部分を認識することができる。このため、称賛者は、より被称賛者を上手に称賛することができるようになる。
【００７８】
（その他変形例等）
以上、本開示について、実施の形態に基づいて説明したが、本開示は、上記実施の形態に限定されるものではない。
【００７９】
例えば、上記実施の形態に係る称賛者支援方法は、コンピューターによって実現されるプログラムであってもよい。このようなプログラムは、称賛者支援システムの記憶部に記憶される。
【００８０】
例えば、上記実施の形態に係る称賛者支援システム及び称賛者支援方法において、行動取得部は、外部のサーバ、称賛者による入力等に基づいて、被称賛者の行動を示す行動情報を取得してもよく、被称賛者の行動を検知することに限定されない。
【００８１】
また、上記実施の形態に係る称賛者支援方法において、コンピューターによって実現されるプログラムであってもよい。このようなプログラムは、称賛者支援システムの記憶部に記憶される。
【００８２】
また、上記実施の形態に係る称賛者支援システム及び称賛者支援方法に含まれる各処理部は典型的に集積回路であるＬＳＩとして実現される。これらは個別に１チップ化されてもよいし、一部又は全てを含むように１チップ化されてもよい。
【００８３】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【００８４】
なお、上記各実施の形態において、各構成要素は、専用のハードウェアで構成されるか、各構成要素に適したソフトウェアプログラムを実行することによって実現されてもよい。各構成要素は、ＣＰＵ又はプロセッサ等のプログラム実行部が、ハードディスク又は半導体メモリ等の記録媒体に記録されたソフトウェアプログラムを読み出して実行することによって実現されてもよい。
【００８５】
また、上記で用いた数字は、全て本開示を具体的に説明するために例示するものであり、本開示の実施の形態は例示された数字に制限されない。
【００８６】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【００８７】
また、フローチャートにおける各ステップが実行される順序は、本開示を具体的に説明するために例示するためであり、上記以外の順序であってもよい。また、上記ステップの一部が、他のステップと同時（並列）に実行されてもよい。
【００８８】
その他、実施の形態に対して当業者が思いつく各種変形を施して得られる形態、本開示の趣旨を逸脱しない範囲で実施の形態における構成要素及び機能を任意に組み合わせることで実現される形態も本開示に含まれる。
【符号の説明】
【００８９】
１  称賛者支援システム
１２１  行動取得部
１２２  分析部
１２３  音声入力部
１２４  記憶部
１２５  処理部
１２６  表示部
【図１】
2020118930.tif 000003
【図２】
2020118930.tif 000004
【図３】
2020118930.tif 000005
【図４】
2020118930.tif 000006